(57)【特許請求の範囲】
【請求項１】
情報機器における筐体の蓋体を成しユーザに対してパネル機能を与える蓋体装置であって、
凹形状収納部が外観部と一体的に形成された天蓋と、前記パネル機能用部品を収納し前記天蓋の凹形状収納部に収納されることにより合体される蓋飾りとを備え、
前記天蓋は、天蓋の凹形状収納部に、配線基板を受ける基板受け平面と、その基板受け平面から突出したピンと、前記配線基板の一部をその挿入により係止する係止機構部とを形成し、前記基板受け平面とピンにより前記配線基板を位置決めすることにより、前記係止機構部による係止により前記配線基板の凹形状収納部からの抜けを防止して仮固定するよう構成するとともに、当該天蓋の凹形状収納部に前記蓋飾りを嵌合する嵌合溝と、前記合体する際のガイド壁とを形成しており、
前記蓋飾りは、前記パネル機能用部品を位置決め収納し仮固定してユニット化するとともに、天蓋の前記凹形状収納部に形成した嵌合溝に嵌合するための爪と、前記天蓋の前記凹形状収納部に形成したガイド壁をガイドするガイドリブとを形成しており、
前記天蓋の凹形状収納部に対する前記蓋飾りを合体するに際し、前記天蓋の凹形状収納部に前記配線基板を位置決め仮固定した状態で、前記蓋飾りを、前記爪が嵌合溝に嵌合ように合体させることにより前記蓋飾りユニットを前記天蓋に仮固定し、この状態で両者を引き込み合わせることにより、前記ガイドリブをガイド壁に誘い込んで前記蓋飾りユニットを天蓋の凹形状収納部の正規位置に誘導して固定するように構成した
ことを特徴とする蓋体装置。
【発明の詳細な説明】
【０００１】
【発明の属する技術分野】
本発明は、例えばコンパクトディスクプレーヤー等における筐体の蓋体として構成されユーザに対してパネル機能を与える蓋体装置に関するものである。
【０００２】
【従来の技術】
従来から、例えばコンパクトディスク（ＣＤ）プレーヤー等の情報機器においては、その筐体を形成する蓋体として、ユーザに対してキー操作や情報表示などのパネル機能を与えるように構成された蓋体装置が多く使用されている。
【０００３】
このような従来の蓋体装置について、以下に説明する。ここでは、蓋体装置として、ＣＤプレイヤーの操作表示部を例に挙げて説明する。
図６は従来の蓋体装置の要部と構成を示す組立上面図、図７は同従来例における組立断面図、図８は同従来例における組立分解斜視図である。図６、図７および図８において、天蓋ａに釦ｂを取付けるための位置決めピンｃが設けられ、この位置決めピンｃに釦ｂの位置決めボスｄが圧入され、天蓋ａに釦ｂが仮固定される。
【０００４】
同様に、天蓋ａに設けた表示部品取り付け部ｅに、液晶パネルｆ、導電ゴムｇを配置し、配線基板ｈは、天蓋ａに設けた位置決めピンｉに、配線基板ｈの位置決め孔ｊが挿入され、天蓋ａ内での取付け位置が決まり、同様に、金属蓋カバーｋの位置決めも兼ねている。
【０００５】
次に、配線基板ｈ上に、両面テープＬを挟むように金属蓋カバーｋを被せ、天蓋ａのボスｍ１にビスｎ１を矢印Ｙ７の方向に止め、さらに天蓋ａの孔Ｋ９から天蓋ａ内に突出させた蓋飾りｆ７のボスｍ２に、ビスｎ２を孔Ｋ７および孔Ｋ８を通して矢印Ｙ８の方向に止めることにより、組み立てが完成するように構成されている。
【０００６】
【発明が解決しようとする課題】
しかしながら上記のような従来の蓋体装置においては、近年の価格低下及び商品のコンパクト化の流れから、小スペース化およびコストダウンが強く要求されている。そのようなことから、従来の構成では、固定ビスの多さならびに部品構成の複雑さから、コストアップ及び組み立て性に多くの問題点を有していた。
【０００７】
本発明は、上記従来の問題点を解決するもので、構成を簡略化することができ、部品点数の削減、組み立て性の改善および生産コストの低減を実現することができる蓋体装置を提供する。
【０００８】
【課題を解決するための手段】
上記の課題を解決するために本発明の蓋体装置は、表示および操作に関する部品を蓋飾りに仮固定して蓋飾りユニットとし、その蓋飾りユニットに、逆さ組み立てを可能とした天蓋ユニットを、蓋飾りの爪で合体しさらにビス２本のみによって固定することにより、天蓋に設けた平面部で配線基板を受けるとともに、蓋飾りに設けたガイドリブと天蓋平面部の合体による配線基板の挟み込みを可能とし、かつガイドリブにより天蓋ユニットを蓋飾りユニットとの合体の際の正規位置へと誘導することを特徴とする。
【０００９】
以上により、組立用ビスの本数削減、従来では必要であった配線基板を受けるための金属蓋カバーの廃止、およびその金属蓋カバーに配線基板を貼付するための両面テープの廃止を実現し、かつ組み立て性を改善して生産性を向上し、生産コストを低減するとともに機器の小型化を容易に行うことができる。
【００１０】
【発明の実施の形態】
本発明の請求項１に記載の蓋体装置は、情報機器における筐体の蓋体を成しユーザに対してパネル機能を与える蓋体装置であって、凹形状収納部が外観部と一体的に形成された天蓋と、前記パネル機能用部品を収納し前記天蓋の凹形状収納部に収納されることにより合体される蓋飾りとを備え、前記天蓋は、天蓋の凹形状収納部に、配線基板を受ける基板受け平面と、その基板受け平面から突出したピンと、前記配線基板の一部をその挿入により係止する係止機構部とを形成し、前記基板受け平面とピンにより前記配線基板を位置決めすることにより、前記係止機構部による係止により前記配線基板の凹形状収納部からの抜けを防止して仮固定するよう構成するとともに、当該天蓋の凹形状収納部に前記蓋飾りを嵌合する嵌合溝と、前記合体する際のガイド壁とを形成しており、前記蓋飾りは、前記パネル機能用部品を位置決め収納し仮固定してユニット化するとともに、天蓋の前記凹形状収納部に形成した嵌合溝に嵌合するための爪と、前記天蓋の前記凹形状収納部に形成したガイド壁をガイドするガイドリブとを形成しており、前記天蓋の凹形状収納部に対する前記蓋飾りを合体するに際し、前記天蓋の凹形状収納部に前記配線基板を位置決め仮固定した状態で、前記蓋飾りを、前記爪が嵌合溝に嵌合ように合体させることにより前記蓋飾りユニットを前記天蓋に仮固定し、この状態で両者を引き込み合わせることにより、前記ガイドリブをガイド壁に誘い込んで前記蓋飾りユニットを天蓋の凹形状収納部の正規位置に誘導して固定するよう構成する。
【００１５】
以上の構成によると、表示および操作に関する部品を蓋飾りに仮固定して蓋飾りユニットとし、その蓋飾りユニットに、逆さ組み立てを可能とした天蓋ユニットを、蓋飾りの爪で合体しさらにビス２本のみによって固定することにより、天蓋に設けた平面部で配線基板を受けるとともに、蓋飾りに設けたガイドリブと天蓋平面部の合体による配線基板の挟み込みを可能とし、かつガイドリブにより天蓋ユニットを蓋飾りユニットとの合体の際の正規位置へと誘導する。
【００１６】
以下、本発明の実施の形態を示す蓋体装置について、図面を参照しながら具体的に説明する。ここでも、従来の説明と同様に、ＣＤプレイヤーの操作表示部を例に挙げて説明する。
【００１７】
図１は本実施の形態の蓋体装置の組立外観斜視図、図２は同実施の形態における天蓋側の天蓋ユニットの組立斜視図、図３は同実施の形態における蓋飾り側の蓋飾りユニットの組立斜視図、図４は同実施の形態における組立断面図、図５は同実施の形態における組立分解斜視図である。
【００１８】
本実施の形態の蓋体装置は、基本的に、例えばコンパクトディスク（ＣＤ）プレーヤー等における蓋体として、機構部等を収納する下側収納部とともに筐体を形成し、その下側収納部に一端が回動自在に軸支されて回動することにより下側収納部を開閉し、かつユーザに対してキー操作や情報表示などのパネル機能を与えるように構成している。
【００１９】
図１、図２、図３、図４、図５において、１は蓋飾り、１ａは爪、１ｂは釦位置決めピン、１ｃは液晶保持リブ、１ｄは天蓋挿入ガイドリブ、１ｅは確認ピン、２は天蓋、２ａは基板受け平面、２ｂは基板位置決めピン、２ｃは抜け防止溝、２ｄは孔、２ｅは組立ガイド壁、２ｆは確認孔、２ｇは嵌合溝、３は配線基板、３ａは位置決め孔、３ｂは抜け防止凸部、３ｃは基板信号伝達部、４は釦、４ａは位置決め孔、５は液晶パネル、５ａは液晶信号伝達部、６は表示パネル、７は導電ゴムである。
【００２０】
以上のような構成要素からなる蓋体装置において、図１に示すように、天蓋２には、蓋飾り１が爪１ａにより固定され、この蓋飾り１の固定により、天蓋２に凹状に形成された基板受け平面（後述する）部に、配線基板３、釦４、液晶パネル５なども所定の位置に組み込まれて、それぞれが機能するように組み立てられる。
【００２１】
図２に示すように、天蓋２に配設された基板受け平面２ａ上に配線基板３が設置され、さらに天蓋２に配設した基板位置決めピン２ｂが配線基板３に設けた位置決め孔３ａに挿入されることにより、基板受け平面２ａ上での配線基板３の位置が決まるように構成している。
【００２２】
また、配線基板３に設けた抜け防止凸部３ｂが天蓋２の抜け防止溝２ｃに嵌まり込むことにより、配線基板３の基板受け平面２ａからの抜け防止機能を兼ね備え、また同様に、天蓋２に設けた孔２ｄに基板信号伝達部３ｃを通すことにより、配線基板３における後部の基板受け平面２ａからの抜け防止を兼ね備えるようにして、天蓋ユニットＴ１が完成するように構成している。
【００２３】
図３に示すように、蓋飾り１に設けた釦位置決めピン１ｂに釦４の位置決め孔４ａが挿入されて、蓋飾り１内での釦４の位置が決まり、蓋飾り１に設けた液晶保持リブ１ｃ内に液晶パネル５が挿入されることにより、蓋飾り１内での液晶パネル５の位置が決るように構成され、液晶パネル５に液晶駆動信号を伝達するための液晶信号伝達部５ａに導電ゴム７を配置することにより、蓋飾りユニットＦ１が完成するように構成している。
【００２４】
蓋飾り１に設けた天蓋挿入ガイドリブ１ｄが、図２で示した組立ガイド壁２ｅを正規の位置に引き込み、さらに、天蓋２に設けた確認孔２ｆより、蓋飾り１に設けた確認ピン１ｅを確認しながら、蓋飾りユニットＦ１に対して天蓋ユニットＴ１を合体するように構成している。
【００２５】
図４、図５に示すように、蓋飾り１に設けた爪１ａは天蓋２に設けた嵌合溝２ｇにより嵌合されることにより、天蓋２と蓋飾り１が合体される。同様に機能する部分を３箇所設けている。さらに、２本のビスＢ１を蓋飾り１のボスｍ３にねじ込むことにより、蓋飾りユニットＦ１に、逆さ組み立てを可能とした天蓋ユニットＴ１を固定している。
【００２６】
また、上述のように合体されることにより、天蓋挿入ガイドリブ１ｄ及び液晶保持リブ１ｃと天蓋２に設けた基板受け平面２ａが配線基板３を上下から挟み込むことにより、配線基板３が基板受け平面２ａ上に押え込まれ固定されるように構成している。
【００２７】
また、配線基板３に設けた抜け防止凸部３ｂが抜け防止溝２ｃに嵌まり込むことにより、配線基板３の基板受け平面２ａ上からの抜け防止を兼ねるように構成している。
【００２８】
以上のように、液晶パネル５や釦４などを蓋飾り１に仮固定して蓋飾りユニットＦ１とし、その蓋飾りユニットＦ１に、逆さ組み立てを可能とした天蓋ユニットＴ１を、蓋飾り１の爪１ａで合体しさらに２本のビスＢ１を蓋飾り１のボスｍ３にねじ込むだけで固定することにより、天蓋２に設けた基板受け平面２ａで配線基板３を受けるとともに、蓋飾り１の天蓋挿入ガイドリブ１ｄと天蓋２の基板受け平面２ａとの合体による配線基板３の挟み込みを可能とし、かつ蓋飾り１の天蓋挿入ガイドリブ１ｄにより天蓋ユニットＴ１を蓋飾りユニットＦ１との合体の際の正規位置へと誘導することができる。
【００２９】
その結果、組立用ビスの本数削減、従来では必要であった配線基板を受けるための金属蓋カバーの廃止、およびその金属蓋カバーに配線基板を貼付するための両面テープの廃止を実現し、かつ組み立て性を改善して生産性を向上し、生産コストを低減するとともに機器の小型化を容易に行うことができる。
【００３０】
なお、上記の実施の形態では、ＣＤプレイヤーの操作表示部を例に挙げて説明したが、カセットテーププレイヤーや、ＭＤプレイヤーや、ＤＶＤプレイヤーなど、ＣＤプレイヤーと同様の操作表示部を有する他の音響機器等にも適用することができる。
【００３１】
また、上記の実施の形態では、ＣＤプレイヤー等の操作表示部を例に挙げて説明したが、操作および表示の双方を行うための操作表示部に限るものではなく、操作するためだけの操作部のみの場合や、表示するためだけの表示部のみの場合の、いずれの場合にも適用することができる。
【００３２】
これらの如何なる場合にも、上記の実施の形態と同様な効果が得られる。
【００３３】
【発明の効果】
以上のように本発明によれば、表示および操作に関する部品を蓋飾りに仮固定して蓋飾りユニットとし、その蓋飾りユニットに、逆さ組み立てを可能とした天蓋ユニットを、蓋飾りの爪で合体しさらにビス２本のみによって固定することにより、天蓋に設けた平面部で配線基板を受けるとともに、蓋飾りに設けたガイドリブと天蓋平面部の合体による配線基板の挟み込みを可能とし、かつガイドリブにより天蓋ユニットを蓋飾りユニットとの合体の際の正規位置へと誘導することができる。
【００３４】
そのため、組立用ビスの本数削減、従来では必要であった配線基板を受けるための金属蓋カバーの廃止、およびその金属蓋カバーに配線基板を貼付するための両面テープの廃止を実現し、かつ組み立て性を改善して生産性を向上し、生産コストを低減するとともに機器の小型化を容易に行うことができる。
【図面の簡単な説明】
【図１】本発明の実施の形態の蓋体装置の組立外観斜視図
【図２】同実施の形態における天蓋側の組立斜視図
【図３】同実施の形態における蓋飾り側の組立斜視図
【図４】同実施の形態における組立断面図
【図５】同実施の形態における組立分解斜視図
【図６】従来の蓋体装置の組立上面図
【図７】同従来例における組立断面図
【図８】同従来例における組立分解斜視図
【符号の説明】
１    蓋飾り
１ａ    爪
１ｂ    釦位置決めピン
１ｃ    液晶保持リブ
１ｄ    天蓋挿入ガイドリブ
１ｅ    確認ピン
２    天蓋
２ａ    基板受け平面
２ｂ    基板位置決めピン
２ｃ    抜け防止溝
２ｄ    孔
２ｅ    組立ガイド壁
２ｆ    確認孔
２ｇ    嵌合溝
３    配線基板
３ａ    位置決め孔
３ｂ    抜け防止凸部
３ｃ    基板信号伝達部
４    釦
４ａ    位置決め孔
５    液晶パネル
５ａ    液晶信号伝達部
６    表示パネル
７    導電ゴム
【図１】
0004020558.tif 000002
【図２】
0004020558.tif 000003
【図３】
0004020558.tif 000004
【図４】
0004020558.tif 000005
【図５】
0004020558.tif 000006
【図６】
0004020558.tif 000007
【図７】
0004020558.tif 000008
【図８】
0004020558.tif 000009